(57)【要約】【課題】逆流防止用のシャッター機構の簡易化と他の換気扇が運転されたときの給気を実現することができる同時給排気式のレンジフードファンを得る。【解決手段】チャンバーボックス７内に設けた排気側流路７ａおよび給気側流路７ｂを開閉する実質的に連続した板状部材１０ｂ，１０ｃとその中間部位に設けたシャッター軸部１０ａによって逆流防止用のシャッタ１０を構成し、このシャッター軸部１０ａをチャンバーボックス内を仕切って給気側流路と排気側流路を形成する仕切板７ｃの部位に転角自在に支持させて送風機１の排気運転状態では排気風圧により転角して両流路を開き、運転休止状態では自重によって転角して両流路を閉じるように構成した。【選択図】　図１
2004076962.tif 000002
【特許請求の範囲】
【請求項１】
排気流を発生させる送風機と、室内の廃気捕集効率を高めるフード部と、内部を仕切って給気側流路と排気側流路を区画して前記フード部上に取り付けたチャンバーボックスと、このチャンバーボックスの排気側流路および給気側流路と屋外を通気するダクト配管を接続するためのダクト継手と、排気側流路および給気側流路を開閉する逆流防止用のシャッターを備えた同時給排気式のレンジフードファンにおいて、
前記逆流防止用のシャッターは、前記チャンバーボックス内に設けた排気側流路および給気側流路を開閉する実質的に連続した板状部材と該板状部材の中間部位に設けた軸支部によって構成し、この軸支部をチャンバーボックス内を仕切って給気側流路と排気側流路を形成する仕切り部位に転角自在に支持させて前記板状部材の両側の部位を前記排気側流路および給気側流路に突出させ、送風機の排気運転状態では排気風圧により転角して両流路を開き、運転休止状態では両流路を閉じるように転角する構成にしたことを特徴とするレンジフードファン。
【請求項２】
請求項１において、前記チャンバーボックス内に前記排気側流路および給気側流路に突出する流路窓枠を設け、前記逆流防止用のシャッターは、閉路時には、前記板状部材の周縁を前記流路窓枠に重合させる構造としたことを特徴とするレンジフードファン。
【請求項３】
請求項２において、前記逆流防止用のシャッターは、前記板状部材における軸支部から排気側流路に位置する部位と給気側流路に位置する部位に段差を設け、前記軸支部を前記流路窓枠の部位で支持することにより、排気側流路に位置する部位を流路窓枠の外側に位置させ、給気側流路に位置する部位を流路窓枠の内側に位置させるように構成したことを特徴とするレンジフードファン。
【請求項４】
請求項２または３において、前記逆流防止用のシャッターの板状部材は、排気側流路に位置する部位の質量を給気側流路に位置する部位の質量よりも大きくしたことを特徴とするレンジフードファン。
【請求項５】
請求項２〜４の１項において、前記逆流防止用のシャッターの板状部材は、排気側流路に位置する部位の面積を給気側流路に位置する部位の面積よりも大きくしたことを特徴とするレンジフードファン。
【請求項６】
請求項２〜５の１項において、前記逆流防止用のシャッターは、浴室やトイレなどの他室の換気扇が排気運転されたときに給気側流路に位置する部位に作用する負圧によって風路を開くように転角することを特徴とするレンジフードファン。
【請求項７】
請求項２〜６の１項において、前記チャンバーボックスは、前記流路窓枠より外側（外気側）の部位の上面，両側面，前面，後面にダクト継手を取り付ける取付開口を設け、ダクト継手を取り付けない面の取付開口は塞ぎ板を取り付けて塞ぐように構成したことを特徴とするレンジフードファン。
【請求項８】
請求項１〜７の１項において、屋外から室内に取り入れる給気流路に、空気の質を変える空調手段を備えたことを特徴とするレンジフードファン。
【請求項９】
請求項８において、前記空調手段は、空気清浄フィルター，脱臭フィルター，香り発生フィルター，ＮＯｘ除去フィルター，イオン生成器，ヒーター，加湿器の少なくとも１つを備えたことを特徴とするレンジフードファン。
【発明の詳細な説明】
【０００１】
【発明の属する技術分野】
本発明は、同時給排気式のレンジフードファンに関する。
【０００２】
【従来の技術】
同時給排気式のレンジフードファンは、運転休止時に屋外の外気が室内へ進入するのを防止するために、排気および給気の流路内にそれぞれ逆流防止用の風圧シャッターを設置し、運転時には、排気側の逆流防止用の風圧シャッターが排気風圧により開くように回動させ、給気側の逆流防止用の風圧シャッターは室内外の差圧により生じる給気流による風圧によって開くように回動させ、運転休止時にはそれぞれが自重により閉じるように回動させる構成である。
【０００３】
【発明が解決しようとする課題】
このように逆流防止用の風圧シャッター機構を排気側と給気側の２つの流路にそれぞれ設置する構成は、部品点数の増加によるコストアップという問題があった。
【０００４】
構造的には、各シャッター機構は、ダクト継手の内部に収める構成であるために、シャッターとダクト継手との間に隙間が必要であり、シャッターが閉じたときの気密性が悪いという問題があった。
【０００５】
また、レンジフードファンの運転休止時には、外風によってシャッターがばたついて騒音を発生したり外気が侵入してしまうという問題があった。
【０００６】
更に、配管方向を選択することができるレンジフードファンにおいては、給気側の配管を上向きに設置した構成では、シャッターが自重によって常に開放の状態となってしまうという問題があった。
【０００７】
更にまた、室外の空気が汚れているときには汚れた空気を室内に給気してしまうという問題があった。
【０００８】
本発明の１つの目的は、同時給排気式のレンジフードファンにおける排気側流路および給気側流路の逆流防止用のシャッター機構の簡素化および部品点数の低減を図ることにある。
【０００９】
本発明の他の目的は、同時給排気式のレンジフードファンにおける逆流防止用のシャッターの気密性を向上することにある。
【００１０】
本発明の更に他の目的は、同時給排気式のレンジフードファンにおける逆流防止用のシャッターが外風によってばたつくのを防止することにある。
【００１１】
本発明の更に他の目的は、排気および給気用のダクト配管方向を変更することが可能な同時給排気式のレンジフードファンにおいて、どのような配管方向が選択された状態でも正常なシャッター動作を実現することできるようにすることにある。
【００１２】
本発明の更に他の目的は、トイレや浴室などの他の換気扇が排気運転されたときの給気を実現することができる同時給排気式のレンジフードファンを提供することにある。
【００１３】
本発明の更に他の目的は、同時給排気式のレンジフードファンにおける室内への給気を好ましい質の空気で行うことができるようにすることにある。
【００１４】
【課題を解決するための手段】
本発明は、排気流を発生させる送風機と、室内の廃気捕集効率を高めるフード部と、内部を仕切って給気側流路と排気側流路を区画して前記フード部上に取り付けたチャンバーボックスと、このチャンバーボックスの排気側流路および給気側流路と屋外を通気するダクト配管を接続するためのダクト継手と、排気側流路および給気側流路を開閉する逆流防止用のシャッターを備えた同時給排気式のレンジフードファンにおいて、前記逆流防止用のシャッターは、前記チャンバーボックス内に設けた排気側流路および給気側流路を開閉する実質的に連続した板状部材と該板状部材の中間部位に設けた軸支部によって構成し、この軸支部をチャンバーボックス内を仕切って給気側流路と排気側流路を形成する仕切り部位に転角自在に支持させて前記板状部材の両側の部位を前記排気側流路および給気側流路に突出させ、送風機の排気運転状態では排気風圧により転角して両流路を開き、運転休止状態では両流路を閉じるように転角する構成にしたことを特徴とする。
【００１５】
前記チャンバーボックス内に前記排気側流路および給気側流路に突出する流路窓枠を設け、前記逆流防止用のシャッターは、閉路時には、前記板状部材の周縁を前記流路窓枠に重合させる構造としたことを特徴とする。
【００１６】
また、前記逆流防止用のシャッターは、前記板状部材における軸支部から排気側流路に位置する部位と給気側流路に位置する部位に段差を設け、前記軸支部を前記流路窓枠の部位で支持することにより、排気側流路に位置する部位を流路窓枠の外側に位置させ、給気側流路に位置する部位を流路窓枠の内側に位置させるように構成したことを特徴とする。
【００１７】
また、前記逆流防止用のシャッターの板状部材は、排気側流路に位置する部位の質量を給気側流路に位置する部位の質量よりも大きくしたことを特徴とする。
【００１８】
また、前記逆流防止用のシャッターの板状部材は、排気側流路に位置する部位の面積を給気側流路に位置する部位の面積よりも大きくしたことを特徴とする。
【００１９】
また、前記逆流防止用のシャッターは、浴室やトイレなどの他室の換気扇が排気運転されたときに給気側流路に位置する部位に作用する負圧によって風路を開くように転角することを特徴とする。
【００２０】
また、前記チャンバーボックスは、前記流路窓枠より外側（外気側）の部位の上面，両側面，前面，後面にダクト継手を取り付ける取付開口を設け、ダクト継手を取り付けない面の取付開口は塞ぎ板を取り付けて塞ぐように構成したことを特徴とする。
【００２１】
また、屋外から室内に取り入れる給気流路に、空気の質を変える空調手段を備えたことを特徴とする。
【００２２】
また、前記空調手段は、空気清浄フィルター，脱臭フィルター，香り発生フィルター，ＮＯｘ除去フィルター，イオン生成器，ヒーター，加湿器の少なくとも１つを備えたことを特徴とする。
【００２３】
【発明の実施の形態】
本発明の実施の形態を図面を参照して説明する。
図１は、本発明の一実施の形態におけるレンジフードファンをその一部を切り欠いて示す正面図、図２は、同レンジフードファンの一部を切り欠いて示す側面図、図３は、同レンジフードファンの一部を分解して示す斜視図、図４は、同レンジフードファンにおけるチャンバーボックスの一部を切り欠いて示す斜視図、図５は、同レンジフードファンにおけるチャンバーボックス内の仕切板と流路窓枠と逆流防止用シャッターの関係を示す縦断正面である。
【００２４】
室内の廃気を吸い込んで屋外へ排気する排気流を発生するための送風機１は、高静圧対応のシロッコファン２と、このシロッコファン２に回転力を与える電動機３と、廃気を円滑に吸い込んで排出するためのベルマウス４ａを有するケーシング４を備え、フード部５内に設置される。
【００２５】
フード部５は、廃気吸込み開口部５ａにフィルタ６ａ〜６ｃを備え、上板部５ｂ上にチャンバーボックス７，空調手段８および幕板９を取り付ける。
【００２６】
チャンバーボックス７は、内部を縦割りに仕切って排気側流路７ａと給気側流路７ｂに区画する仕切板７ｃと、軸支部であるシャッター軸部１０ａを基準として転角する板状部材１０ｂ，１０ｃを有する逆流防止用のシャッター１０と、このシャッター１０の板状部材１０ｂ，１０ｃが接離することにより前記排気側流路７ａと給気側流路７ｂを開閉する流路窓枠７ｅ，７ｆを内蔵する。
【００２７】
シャッター１０は、流路窓枠７ｅ，７ｆが位置する部位で仕切板７ｃを切り欠いた形態に形成したシャッター軸部設置空間７ｄ内にシャッター軸部１０ａを位置させて転角自在に取り付け、このシャッター軸部１０ａから排気側流路７ａ内に伸びる板状部材（排気側部位）１０ｂと給気側流路７ｂ内に伸びる板状部材（給気側部位）１０ｃを実質的に連続した板状部材によって構成し、送風機１が排気運転状態にあるときには排気風圧で転角して両板状部材１０ｂ，１０ｃが流路窓枠７ｅ，７ｆから離れて排気側流路７ａと給気側流路７ｂを開き、運転休止状態にあるときには自重（アンバランス重量）で転角して両板状部材１０ｂ，１０ｃの周縁部が流路窓枠７ｅ，７ｆに重合するように当接することにより排気側流路７ａと給気側流路７ｂを閉じるように構成する。
【００２８】
送風機１が運転休止状態にあるときにシャッター１０が排気側流路７ａと給気側流路７ｂを閉じるように該シャッター１０を転角させるための該シャッター１０の自重（アンバランス重量）は、板状部材１０ｂの先端部折り返したり分厚く形成して板状部材１０ｃよりも質量を大きくするか、シャッター軸部１０ａを基準にして板状部材１０ｂ側の面積（長さ）を板状部材１０ｃの面積（長さ）よりも大きくすることにより設定する。板状部材１０ｂ，１０ｃの面積（長さ）を変える構成は、運転停止状態において外風圧が排気側流路７ａと給気側流路７ｂに進入してきたときにシャッター１０が受ける風圧は、板状部材１０ｂ側が板状部材１０ｃよりも大きくなるので、この風圧によってシャッター１０には閉じる方向の転角力が作用して閉路状態を維持する（逆流防止効果を高める）ことができる。
【００２９】
但し、シャッター１０の板状部材１０ｂ，１０ｃのアンバランス重量は、他の換気扇（トイレの換気扇や浴室の換気扇）が排気運転することにより室内が負圧状態になったときには該負圧によってシャッター１０が両流路７ａ，７ｂを開くように転角して給気することができる程度に止める。
【００３０】
また、このシャッター１０は、排気側流路７ａと給気側流路７ｂを閉じるように転角したときに板状部材１０ｂ，１０ｃの周縁部を流路窓枠７ｅ，７ｆに密に重合させて気密性を高めるために、シャッター軸部１０ａを境にして板状部材１０ｂ，１０ｃ間に段差を設け、板状部材１０ｂを流路窓枠７ｅの外側に位置させ、板状部材１０ｃを流路窓枠７ｆの内側に位置させることにより、排気側流路７ａと給気側流路７ｂを閉じるように転角した状態で板状部材１０ｂ，１０ｃの全周縁部が流路窓枠７ｅ，７ｆに均一に重合するように構成する。
【００３１】
また、チャンバーボックス７には該チャンバーボックス７と屋外を通気するための排気ダクト１１と給気ダクト１２を接続するためのダクト継手１３，１４を取り付ける。チャンバーボックス７には、前記ダクト継手１３，１４を該チャンバーボックス７の上面，両側面，前面，後面の何れの面にも選択的に取り付け可能なように、各面の流路窓枠７ｅ，７ｆより外側（外気側）の部位の各面に取付開口７ｇ〜７ｐを設け、ダクト継手１３，１４を取り付けない面の取付開口は塞ぎ板１５ａ〜１５ｆを取り付けて塞ぐように構成する。
【００３２】
チャンバーボックス７は、排気側流路７ａにおける流路窓枠７ｅの内側（内気側）の部位を送風機１のケーシング４の排出口に接続し、給気側流路７ｂにおける流路窓枠７ｆの内側（内気側）の部位の前面には幕板９の内側（チャンバーボックス７側）の空間１６に向けて開口する給気開口７ｑを設け、この給気開口７ｑに給気処理フィルター１７を備える。この給気処理フィルター１７は、空気清浄フィルター，脱臭フィルター，香り発生フィルター，ＮＯｘ除去フィルターを単独あるいは複合して構成したものを用いる。そして、給気側流路７ｂから室内に給気する空気の総てを前記給気処理フィルター１７を通過させることにより、空気清浄，脱臭，芳香，ＮＯｘ除去などの改質処理を行う。
【００３３】
幕板９の内側の空間１６また該空間１６より上流側の給気流路中には、イオン生成器，ヒーター，加湿器などを単独または複合して構成した空気処理手段１８を設置する。この空気処理手段１８は、給気側流路７ｂから空間１６を通って給気窓９ａから室内に給気する空気に対してマイナスイオン添加，加熱，加湿などの改質処理を行う。
【００３４】
給気処理フィルター１７と空気処理手段１８は、前記空調手段８を構成するものであり、それぞれを併置または何れか１つを設置して構成する。
【００３５】
幕板９は、フード部５の上板部５ａ上でチャンバーボックス７，ダクト継手１３，１４，ダクト１１，１２および空調手段８を包囲して目隠しするように設置し、その前面に給気窓９ａを備える。
【００３６】
このように構成した同時給排気式のレンジフードファンは、主として、台所のガスレンジの上方に設置され、屋外（外気）に通じる排気ダクト１１と給気ダクト１２がダクト継手１３，１４に接続される。
【００３７】
そして、ガスレンジを使用することによって発生した廃気（燃焼ガス，湯煙，油煙など）を排気するときには、送風機１を排気運転することによりフード部５内の廃気を吸い込んでチャンバーボックス７の排気側流路７ａに排出する。送風機１から排気側流路７ａ内に廃気が排出されると、シャッター１０の板状部材（排気側部位）１０ｂの内側に該シャッター１０を開くように転角させる方向の風圧が作用して該シャッター１０が転角することにより、板状部材１０ｂが廃気流路７ａにおける流路窓枠７ｅから離れて排気側流路７ａを開いて廃気をダクト継手１３と排気ダクト１１を介して屋外に排気する。
【００３８】
シャッター１０が排気側流路７ａを開くように転角すると、板状部材１０ｃが給気側流路７ｂにおける流路窓枠７ｆから離れて給気側流路７ｂを開くことから、室内の空気（廃気）が排気されて負圧になった該室内には、給気ダクト１２，ダクト継手１４，給気側流路７ｂ，給気開口７ｑ，給気処理フィルター１７，空間１６，給気窓９ａを通して外気が流れ込む。室内に流れ込む外気は、その流れの途中において空調手段８（給気処理フィルター１７と空気処理手段１８）によって室内への給気に適した質に変えるように改質処理される。
【００３９】
排気を止めるために送風機１の排気運転を休止すると、送風機１からシャッター１０の板状部材１０ｂに作用する風圧が消滅することから、シャッター１０は、板状部材１０ｂ，１０ｃの自重（アンバランス重量）によって転角して両板状部材１０ｂ，１０ｃの周縁部を流路窓枠７ｅ，７ｆに重合するように当接させることにより排気側流路７ａと給気側流路７ｂを閉じる。
【００４０】
このようにシャッター１０がアンバランス重量によって転角して両板状部材１０ｂ，１０ｃの周縁部を流路窓枠７ｅ，７ｆに重合させて排気側流路７ａと給気側流路７ｂを閉じている運転休止状態において、外気の風圧がダクト１１，１２とダクト継手１３，１４を介してチャンバーボックス７の排気側流路７ａおよび給気側流路７ｂに進入すると、この風圧は、排気側流路７ａ内においてはシャッター１０を閉じる方向に転角させるように板状部材１０ｂに作用し、給気側流路７ｂ内においてはシャッター１０を開く方向に転角させるように板状部材１０ｃに作用する。しかしながら、両板状部材１０ｂ，１０ｃに作用する単位面積当たりの風圧は略等しいことから、両板状部材１０ｂ，１０ｃの面積が等しい構成では相殺して風圧による転角力は発生せず、排気側流路７ａに位置する板状部材１０ｂを大きくした構成ではシャッター１０を閉じる方向の転角力が発生して閉路状態を維持する。
【００４１】
また、このように構成した同時給排気式のレンジフードファンは、高層集合住宅のように気密性の高い住宅の台所に設置した場合には、トイレの換気扇や浴室の換気扇のような他の換気扇を排気運転したときに負圧になる住宅内に給気する手段として機能する。
【００４２】
図６は、前述した本発明になる同時給排気式のレンジフードファンを他の排気専用の換気扇と共に高層集合住宅のような気密性の高い住宅に設置したときの換気時の空気の流れを示す模式図である。
【００４３】
台所１０１に設置した本発明になる同時給排気式のレンジフードファン１０２は、排気ダクト１１と給気ダクト１２によって屋外と通気して給排気するように構成している。トイレ１０３に設置した排気専用の換気扇１０４は、排気ダクト１０５によって屋外と通気して排気するように構成している。また、浴室１０６に設置した排気専用の換気扇１０７は、浴室１０６内を吸気すると共に吸気ダクト１０８によって洗面室１０９を吸気し、排気ダクト１１０によって屋外と通気して排気するように構成している。
【００４４】
レンジフードファン１０２を単独で運転したときには、このレンジフードファン１０２からの給気流１１１は、台所１０１に止まる。そして、レンジフードファン１０２が運転休止状態にあるときにトイレ１０３の換気扇１０４および／または浴室１０６の換気扇１０７が排気運転されて室（住宅）内が負圧になると、この負圧は、レンジフードファン１０２のチャンバーボックス７内のシャッター１０に作用して給気側流路７ｂを開くように該シャッター１０を転角させて給気流１１１を発生する。この給気流１１１は、排気運転されて負圧になったトイレ１０３および／または浴室１０６と洗面室１０９まで達する。
【００４５】
このようにレンジフードファン１０２を利用して住宅内への給気流１１１を発生する換気構成では、トイレ１０３や浴室１０６に排気専用の換気扇１０４，１０７を使用しても格別な給気窓や給気ダクトを設置する必要がなく、建屋の構造を簡素化して建築費用を節約することができる。
【００４６】
【発明の効果】
本発明の同時給排気式のレンジフードファンは、排気側流路および給気側流路の逆流防止用のシャッターを、実質的に連続した板状部材と該板状部材の中間部位に設けた軸支部によって構成し、この軸支部を前記給気側流路と排気側流路を形成する仕切り部位に転角自在に支持させて前記板状部材の両側の部位を前記排気側流路および給気側流路に突出させ、送風機の排気運転状態では排気風圧により転角して両流路を開き、運転休止状態では両流路を閉じる方向に転角するように構成したことにより、シャッター機構の簡素化および部品点数の低減を図ることができる。
【００４７】
また、前記排気側流路および給気側流路に突出する流路窓枠を設け、前記逆流防止用のシャッターは、閉路時には、前記板状部材の周縁を前記流路窓枠に重合させる構造としたことにより、逆流防止用のシャッターの気密性を向上することができる。
【００４８】
また、前記逆流防止用のシャッターの板状部材は、排気側流路に位置する部位の面積を給気側流路に位置する部位の面積よりも大きくしたことにより、排気側流路および給気側流路に外風が進入したときには、シャッターが風路を閉じる方向に転角するような転角力を発生することになるので外風によってばたつくのを防止することができる。
【００４９】
また、前記チャンバーボックスは、前記流路窓枠より外側（外気側）の部位の上面，両側面，前面，後面にダクト継手を取り付ける取付開口を設け、ダクト継手を取り付けない面の取付開口は塞ぎ板を取り付けて塞ぐように構成したことにより、排気および給気用のダクト配管方向を変更することが可能な同時給排気式のレンジフードファンにおいて、どのような配管方向が選択された状態でも正常なシャッター動作を実現することできる。
【００５０】
また、屋外から室内に取り入れる給気流路に、空気の質を変える空調手段（空気清浄フィルター，脱臭フィルター，香り発生フィルター，ＮＯｘ除去フィルター，イオン生成器，ヒーター，加湿器の少なくとも１つ）を備えたことにより、室内への給気を好ましい質の空気で行うことができる。
【００５１】
そして、この同時給排気式のレンジフードファンにおける給気は、室内が負圧になることによりシャッター流路を開くように転角して給気を行うので、トイレや浴室などの他の換気扇が排気運転されたときの給気を実現することができる。
【図面の簡単な説明】
【図１】本発明の一実施の形態におけるレンジフードファンをその一部を切り欠いて示す正面図である。
【図２】図１に示したレンジフードファンの一部を切り欠いて示す側面図である。
【図３】図１に示したレンジフードファンの一部を分解して示す斜視図である。
【図４】図１に示したレンジフードファンにおけるチャンバーボックスの一部を切り欠いて示す斜視図である。
【図５】図１に示したレンジフードファンにおけるチャンバーボックス内の仕切板と流路窓枠と逆流防止用シャッターの関係を示す縦断正面である。
【図６】本発明になる同時給排気式のレンジフードファンを他の排気専用の換気扇と共に高層集合住宅のような気密性の高い住宅に設置したときの換気時の空気の流れを示す模式図である。
【符号の説明】
１…送風機、５…フード部、７…チャンバーボックス、７ａ…排気側流路、７ｂ…給気側流路、７ｃ…仕切板、７ｅ，７ｆ…流路窓枠、７ｇ〜７ｐ…取付開口、８…空調手段、９…幕板、１０…シャッター、１０ａ…シャッター軸部、１０ｂ…板状部材（排気側部位）、１０ｃ…板状部材（給気側部位）、１１…排気ダクト、１２…給気ダクト、１３，１４…ダクト継手、１５ａ〜１５ｆ…塞ぎ板、１７…給気処理フィルター、１８…空気処理手段。
【図１】
2004076962.tif 000003
【図２】
2004076962.tif 000004
【図３】
2004076962.tif 000005
【図４】
2004076962.tif 000006
【図５】
2004076962.tif 000007
【図６】
2004076962.tif 000008